(57)【要約】【課題】少なくとも送信元（発信元）のユーザーが選択した送信方法（通信方法）をも考慮して、着信時の処理を適切に制御する【解決手段】  重要度設定メモリ１０４は、送信方法ごとの重要度を記憶している。自機宛ての着信を通知するメッセージの受信時に、送信方法判別部１１５が、当該メッセージに基づいて、送信元が用いた送信方法を判別する。この後、着信制御部が、判別された当該送信方法に応じた重要度を重要度設定メモリ１０４に記憶されている情報を参照して特定し、この特定した重要度に応じた着信時の制御を行う。【選択図】図２
2014175683.tif 000002
【特許請求の範囲】
【請求項１】
送信方法ごとの重要度を記憶する記憶手段と、
自機宛ての着信を通知するメッセージの受信時に、当該メッセージに基づいて送信元が用いた送信方法を判別する判別手段と、
前記判別手段により判別された送信方法に応じた重要度を前記記憶手段に記憶されている情報を参照して特定し、特定した重要度に応じた制御を行う着信制御手段と
を備えることを特徴とする携帯通信端末。
【請求項２】
送信元ごとであって、送信方法ごとの重要度を記憶する記憶手段と、
自機宛ての着信を通知するメッセージの受信時に、当該メッセージに基づいて送信元を判別する送信元判別手段と、
自機宛ての着信を通知するメッセージの受信時に、当該メッセージに基づいて送信元が用いた送信方法を判別する送信方法判別手段と、
判別された送信元と送信方法とに応じた重要度を前記記憶手段に記憶されている情報を参照して特定し、特定した重要度に応じた制御を行う着信制御手段と
を備えることを特徴とする携帯通信端末。
【請求項３】
送信元ごと、かつ、送信方法ごとであって、着信先のユーザーの状況ごとの重要度を記憶する記憶手段と、
自機宛ての着信を通知するメッセージの受信時に、当該メッセージに基づいて送信元を判別する送信元判別手段と、
自機宛ての着信を通知するメッセージの受信時に、当該メッセージに基づいて送信元が用いた送信方法を判別する送信方法判別手段と、
着信時におけるユーザーのスケジュール情報に基づいて、着信先のユーザーの状況を判別する状況判別手段と、
判別された送信元と送信方法と送信先のユーザーの状況とに応じた重要度を前記記憶手段に記憶されている情報を参照して特定し、特定した重要度に応じた制御を行う着信制御手段と
を備えることを特徴とする携帯通信端末。
【請求項４】
請求項１、請求項２または請求項３のいずれかに記載の携帯通信端末であって、
前記記憶手段に記憶される着信時の制御内容を示す前記情報の設定変更入力を受け付ける受付手段と、
前記受付手段を通じて受け付けた情報に基づいて、前記記憶手段に記憶される重要度を示す情報の保守を行う保守手段と
を備えることを特徴とする携帯通信端末。
【請求項５】
請求項１、請求項２、請求項３または請求項４のいずれかに記載の携帯通信端末であって、
前記送信方法は、携帯電話から携帯電話を通じての送信、固定電話からの固定電話網を通じての送信、通話アプリケーションを用いた送信、電子メールなどのテキストデータや画像データの送信のいずれかであることを特徴とする携帯通信端末。
【請求項６】
携帯通信端末で用いられる着信通知制御方法であって、
前記携帯通信端末は、送信方法ごとの重要度を記憶する記憶手段を備えており、
判別手段が、自機宛ての着信を通知するメッセージの受信時に、当該メッセージに基づいて送信元が用いた送信方法を判別する判別工程と、
着信制御手段が、前記判別工程において判別した送信方法に応じた重要度を前記記憶手段に記憶されている情報を参照して特定し、特定した重要度に応じた制御を行う着信制御工程と
を有することを特徴とする着信通知制御方法。
【請求項７】
携帯通信端末で用いられる着信通知制御方法であって、
送信元ごとであって、送信方法ごとの重要度を記憶する記憶手段を備えており、
送信元判別手段が、自機宛ての着信を通知するメッセージの受信時に、当該メッセージに基づいて送信元を判別する送信元判別工程と、
送信方法判別手段が、自機宛ての着信を通知するメッセージの受信時に、当該メッセージに基づいて送信元が用いた送信方法を判別する送信方法判別工程と、
着信制御手段が、前記送信元判別工程で判別した送信元と前記送信方法判別工程で判別した送信方法とに応じた重要度を、前記記憶手段に記憶されている情報を参照して特定し、特定した重要度に応じた制御を行う着信制御手段と
を有することを特徴とする着信通知制御方法。
【請求項８】
携帯通信端末で用いられる着信通知制御方法であって、
送信元ごと、かつ、送信方法ごとであって、着信先のユーザーの状況ごとの重要度を記憶する記憶手段を備え、
送信元判別手段が、自機宛ての着信を通知するメッセージの受信時に、当該メッセージに基づいて送信元を判別する送信元判別工程と、
送信方法判別手段が、自機宛ての着信を通知するメッセージの受信時に、当該メッセージに基づいて送信元が用いた送信方法を判別する送信方法判別工程と、
状況判別手段が、着信時におけるユーザーのスケジュール情報に基づいて、着信時のユーザーの状況を判別する状況判別工程と、
着信制御手段が、送信元判別工程で判別した送信元と送信方法判別工程で判別した送信方法と状況判別工程で判別した着信時のユーザーの状況とに応じた重要度を前記記憶手段に記憶されている情報を参照して特定し、特定した重要度に応じた制御を行う着信制御工程と
を有することを特徴とする着信通知制御方法。
【発明の詳細な説明】
【技術分野】
【０００１】
この発明は、例えば、スマートフォンなどと呼ばれる高機能携帯電話端末などの複数の送信方法（通信方法）による着信を受け付けて通信を行うことが可能な携帯通信端末と、この携帯通信端末で用いられる着信時の制御方法に関する。
【背景技術】
【０００２】
後に記す特許文献１には、ＩＰ電話に関連し、発信者番号による発信者の重要度と、着信側ユーザーの状態に応じて着信パターンを変える受信装置及びプログラムに関する発明が開示されている。また、特許文献２には、電子メール通信に関連し、電子メールの送信元に基づく電子メールの重要度や電子メールの内容に基づく緊急度、更には受信者の行動状況等に応じて着信通知方法を変える電子メール着信通知装置及び記録媒体に関する発明が開示されている。
【０００３】
これらの技術により、送信元はどこかを考慮すると共に着信先のユーザーの状態等をも考慮して、適切な着信通知を行うことができ、着信先の通信機器を利用するユーザーの利便性を向上させることができる。
【先行技術文献】
【特許文献】
【０００４】
【特許文献１】特開２００５−２０４２２７号公報
【特許文献２】特開平１０−２８３２９１号公報
【発明の概要】
【発明が解決しようとする課題】
【０００５】
ところで、電話通信には、携帯電話からの送信（発信）もあれば固定電話からの送信（発信）もある。また、近年においては、インターネット上で対等な関係にある端末間を相互に直接接続して音声通話を行う、ピア・ツー・ピア（Peer to Peer）技術を用いた音声通話も広く利用されている。
【０００６】
当該音声通信は所定の通話アプリケーションソフトウェアを用いることで、携帯電話会社等との契約が一定金額でパケット通信量が無制限の場合、長時間通話を行っても当該一定金額以上に料金がかからない。このため、通話アプリケーションソフトウェアを用いた音声通話は、いわゆる無料電話として急速に普及している。
【０００７】
また、主にテキストデータや画像データを送受信するものとして、従来から電子メール通信が広く利用されている。さらに、人と人とのつながりを促進・サポートする、コミュニティ型のＷｅｂサイトであるＳＮＳ（Social Networking Service）を通じて、テキストデータや画像データ等を送受することも行われている。
【０００８】
このように、一般的に利用可能な送信方法（通信方法）も増えてきており、送信元がどの送信方法（通信方法）を用いて連絡してきたのかをも考慮しなければ、より適切に着信時の制御が行えない状況になってきている。例えば、発信者個人の特定まで可能な携帯電話からの着信には優先して応答したいというユーザーもいれば、通話アプリを用いて日頃から頻繁に連絡を取り合っている友人からの着信には優先して応答したいというユーザーもいる。
【０００９】
また、周囲にあまり影響を与えずに連絡が可能な電子メールの着信について優先して応答したいというユーザーもいる。もちろん、発信元や着信時における自己の状況に応じても着信時の対応を変えたい場合もある。このような場合、電話通信に特化した特許文献１に記載の技術や電子メール通信に特化した特許文献２に記載の技術では十分な対応をとることができない。
【００１０】
以上のことに鑑み、この発明は、少なくとも送信元（発信元）のユーザーが選択した送信方法（通信方法）をも考慮して、着信時の処理を適切に制御することを目的とする。
【課題を解決するための手段】
【００１１】
上記課題を解決するため、請求項１に記載の発明の携帯通信端末は、
送信方法ごとの重要度を記憶する記憶手段と、
自機宛ての着信を通知するメッセージの受信時に、当該メッセージに基づいて送信元が用いた送信方法を判別する判別手段と、
前記判別手段により判別された送信方法に応じた重要度を前記記憶手段に記憶されている情報を参照して特定し、特定した重要度に応じた制御を行う着信制御手段と
を備えることを特徴とする。
【００１２】
請求項１に記載の発明の携帯通信端末によれば、記憶手段は、送信方法ごとの重要度を記憶している。自機宛ての着信を通知するメッセージの受信時に、判別手段が、当該メッセージに基づいて、送信元が用いた送信方法を判別する。そして、着信制御手段が、判別された当該送信方法に応じた重要度を記憶手段から特定し、この特定した重要度に応じた着信時の制御を行う。
【００１３】
これにより、送信元（発信元）が用いた送信方法が、携帯電話か、固定電話か、通話アプリケーションか、電子メールやＳＮＳかに応じて重要度を設定しておき、その重要度に応じた着信時の制御が行える。すなわち、従来、考慮されてこなかった送信元が用いた送信方法を考慮した着信時の制御が実現できる。
【発明の効果】
【００１４】
この発明によれば、少なくとも送信元（発信元）のユーザーが選択した送信方法（通信方法）をも考慮して、着信時の制御を適切に制御できる。
【図面の簡単な説明】
【００１５】
【図１】実施の形態の通信ネットワーク環境の概略を説明するための図である。
【図２】高機能携帯電話端末１の構成例を説明するためのブロック図である。
【図３】高機能携帯電話端末１の記憶装置１０３で管理されるスケジュール情報の一例について説明するための図である。
【図４】高機能携帯電話端末１の記憶装置１０３で管理される着信時制御情報の一例について説明するための図である。
【図５】重要度設定メモリ１０４に格納される重要度設定情報の一例について説明するための図である。
【図６】高機能携帯電話端末１で行われる重要度設定情報の設定等の処理について説明するためのフローチャートである。
【図７】重要度設定情報の設定等の処理の実行時に用いられる入力画面の例を説明するための図である。
【図８】高機能携帯電話端末１で行われる着信時の制御処理について説明するためのフローチャートである。
【図９】重要度設定メモリ１０４に格納される送信方法のみにより重要度の特定が可能な重要度設定情報の一例について説明するための図である。
【図１０】重要度設定メモリ１０４に格納される送信元と送信方法とにより重要度の特定が可能な重要度設定情報の一例について説明するための図である。
【発明を実施するための形態】
【００１６】
以下、図を参照しながら、この発明の装置、方法の一実施の形態について説明する。この発明の携帯通信端末は、スマートフォンと呼ばれる高機能携帯電話端末や通信機能を備えたタブレットＰＣ、あるいは、携帯電話端末などに適用可能である。しかし、以下に説明する実施の形態では、近年、広く普及してきているスマートフォンなどと呼ばれる高機能携帯電話端末に、この発明の携帯通信端末を適用した場合を例にして説明する。
【００１７】
［通信ネットワーク環境の概略］
図１は、この発明の携帯通信端末の一実施の形態が適用された高機能携帯電話端末が接続される、この実施の形態の通信ネットワーク環境の概略を説明するための図である。図１において、下端側に示した高機能携帯電話端末１が、この発明の携帯通信端末の一実施の形態が適用されたものであり、その構成等の詳細については後述する。ネットワーク２は、インターネット、固定電話網、携帯電話網などの種々の広域通信網と、インターネットまでを接続する種々のＬＡＮ（Local Area Network）などを含む。
【００１８】
このため、ネットワーク２には、携帯電話網の基地局３（１）、３（２）、…や、無線ＬＡＮのＡＰ（Access Point）４（１）、４（２）、…が接続されている。そして、図１において、高機能携帯電話端末１は、近隣に位置する携帯電話網の基地局３（１）や近隣に位置し接続可能な無線ＬＡＮのアクセスポイント（以下、ＡＰと略称する。）４（１）を通じてネットワーク２に接続し通信を行える。
【００１９】
また、ネットワーク２には、固定電話５などの多数の固定電話や近隣の基地局３（２）、…やＡＰ４（２）、…を通じて、種々の携帯電話端末６（１）、６（２）、…が接続可能になっている。図１において、携帯電話端末６（１）は、従来からの携帯電話端末であり、携帯電話端末６（２）は、この実施の形態の高機能携帯電話端末１と同様にスマートフォンなどと呼ばれる高機能携帯電話端末である。また、ネットワーク２には、ＰＣ（パーソナルコンピュータ）７やサーバー装置８などの種々の通信機能を備えた情報処理装置も接続されている。
【００２０】
そして、高機能携帯電話端末１は、ネットワーク２を介して種々の通信端末との間に通信回線を接続し、音声通話やテキストデータ等の送受を行える。つまり、高機能携帯電話端末１は、固定電話５などの固定電話からの発信に応答して通信回線を接続し通話を行ったり、携帯電話端末６（１）、６（２）など携帯電話端末からの発信に応答して通信回線を接続し通話を行ったりできる。
【００２１】
また、高機能携帯電話端末１と高機能携帯電話端末６（２）に所定の通話アプリケーションソフトウェア（以下、通話アプリと略称する。）が搭載されているとする。この場合、高機能携帯電話端末１は、高機能携帯電話端末６（２）からの通話アプリを用いた通話要求に応じて通信回線を接続するようにし、通話を行うことができる。さらに、高機能携帯電話端末１は、携帯電話端末６（１）、６（２）、…やＰＣ７などから送信された電子メールを受信したり、また、携帯電話端末６（１）、６（２）、…やＰＣ７との間で、所定のＳＮＳを通じてテキストデータ等の送受を行ったりできる。
【００２２】
このようなネットワーク環境化において、この実施の形態の高機能携帯電話端末１は、種々の送信方法（通信方法）を用いて、通信を行うことができる。そして、この実施の形態の高機能携帯電話端末１は、相手先が用いた送信方法に応じて着信の重要度を定めておくことにより、自機に着信が発生した場合に、その重要度に応じて着信時の処理を制御できる。さらに、この実施の形態の高機能携帯電話端末１は、相手先が用いた送信方法に加えて、送信元である相手先を考慮したり、相手先と自機のユーザーの着信時の状況を考慮したりして、着信の重要度を定め、これに応じて着信時の処理を制御できる。
【００２３】
なお、この明細書において、送信方法（通信方法）は、高機能携帯電話端末１での着信時の処理に関係するものであり、高機能携帯電話端末１にアクセスするようにした相手先が用いた送信方法（通信方法）を意味する。すなわち、送信方法には、（１）固定電話からの送信（固定電話網を通じての発信）、（２）携帯電話端末からの送信（携帯電話網を通じての発信）、（３）通話アプリからの送信（インターネットを通じたピア・ツー・ピアの通信）がある。さらに、送信方法には、（４）Ｅメール（電子メール）によるテキストデータ等の送信やＳＮＳを通じてのテキストデータ等の送信がある。もちろん、高機能携帯電話端末１もまた、自機から種々の送信方法を用いて送信（発信）できるものである。
【００２４】
また、送信元（通信の相手先）は、後述するように、高機能携帯電話端末１で管理されるアドレス帳データにより判別可能である。送信元を大別すれば、友人、知人、上司、部下、同僚、取引先、家族、親族などであり、どの様な相手先からの送信（発信）により、自機への着信の重要度も異なってくる。また、ユーザーの着信時の状況は、後述もするが、高機能携帯電話端末１で管理される当該ユーザーのスケジュール情報により把握可能なＴ（Time）、Ｐ（Position）、Ｏ（Occasion）の情報である。高機能携帯電話端末１のユーザーの着信時の状況によっても、自機への着信の重要度が変わってくる場合がある。
【００２５】
［高機能携帯電話端末１の構成例］
次に、この実施の形態の高機能携帯電話端末１の構成例について説明する。図２は、この実施の形態の高機能携帯電話端末１の構成例を説明するためのブロック図である。図２に示す高機能携帯電話端末１において、無線通信部１０１は、ネットワーク２を通じて受信した信号を自機が処理可能なデータに変換して取り込んだり、送信用の種々のデータをプロトコルに準拠した信号に変換してネットワーク２に送出したりする。当該無線通信部１０１には、送受信アンテナ１０１Ａが接続されている。
【００２６】
制御部１０２は、高機能携帯電話端末１の各部を制御するものであり、図示しないが、ＣＰＵ（Central Processing Unit）、ＲＯＭ（Read Only Memory）、ＲＡＭ（Random Access Memory）がＣＰＵバスを通じて接続されて構成されたコンピュータ装置である。また、制御部１０２は、種々のアプリケーション（以下、アプリと略称する。）を実行するアプリ実行部としても機能する。記憶装置１０３は、記録媒体として不揮発性メモリを備え、種々のアプリケーションプログラムや種々の処理により得られたデータ等の不揮発性メモリへの書込み／記録保持／読み出し／削除を行う。また、記憶装置１０３では、アドレス帳データ、スケジュール情報、着信時制御情報などの情報も記憶保持する。
【００２７】
なお、アドレス帳データは、相手先ごとに、相手先の氏名、住所、携帯電話番号、固定電話番号、携帯電話用の電子メールアドレス、ＰＣ用の電子メールアドレス、会社名などの相手先に関する種々の情報を管理するものである。また、スケジュール情報は、ユーザーの日々の生活パターンや随時に発生するイベント等からなるものである。また、着信時制御情報は、着信の重要度に応じて、着信時にどのような制御を行うのかを示す情報である。このように、記憶装置１０３に記憶保持されている着信時制御情報の着信の重要度は、この実施の形態では、送信方法と送信元（通信の相手先）と着信時における着信先のユーザーの状況に応じて特定することが可能な情報である。
【００２８】
ここで、スケジュール情報と着信時制御情報の具体例（一例）について説明する。図３は、この実施の形態の高機能携帯電話端末１の記憶装置１０３で管理されるスケジュール情報の一例について説明するための図である。当該スケジュール情報は、図３に示すように、休日休暇に関する情報、平日の生活パターンに関する情報、休日の生活パターンに関する情報、随時あるいは定期的に発生するイベントに関する情報を管理する。
【００２９】
休日休暇に関する情報では、基本的な休日（基本休日）はいつか、決まっている長期休暇はいつか、決まっている有給休暇はいつか、決まっている特別休暇（会社等により独自に認められている例えば育児休暇など）はいつかを管理する。平日の生活パターンに関する情報では、平日（休日以外の日）の起床、朝食、出勤、会社、昼食、帰宅、夕食、就寝などのように、平日はどの様なパターンで生活しているのかを示す情報を管理する。
【００３０】
なお、出勤や帰宅に関する情報では、用いる移動手段に応じたパターンを管理できるようになっている。従って、図３に示したように、出勤は、午前７時に徒歩で家を出て午前７時１５分に駅に着き、午前７時２０分から午前８時１５分まで電車で移動し、午前８時１５分に目的駅に着いて、徒歩で移動し、午前８時３５分に会社に到着するというパターンが管理できる。帰宅についても、同様に移動手段ごとにパターンを管理できる。なお、移動手段には、徒歩、電車の他に、自転車、バイク、自動車、バス、飛行機、船舶などの種々のものがある。
【００３１】
休日の生活パターンに関する情報では、休日の起床、朝食、散歩、昼食、夕食、団らん、就寝などのように、休日はどの様なパターンで生活しているのかを示す情報を管理する。そして、随時あるいは定期的に発生するイベントに関する情報では、出張、会議、家族旅行などのレジャーなどに関するスケジュールを細かく管理できる。図３では、福岡出張、企画会議、家族旅行のスケジュールを管理している場合を示している。
【００３２】
なお、図３に示したスケジュール情報はあくまでも一例である。スケジュール情報を構成する項目（単体のスケジュール）について、時間（Time）、場所（Place）、場合（Occasion）を管理できる。具体的に、時間（Time）に関する情報としては、年月日、曜日、時刻を管理でき、場所（Place）に関する情報としては、自宅、勤務先、訪問先、出張先、経由地などの種々の情報を管理できる。また、場合（Occasion）に関する情報としては、通勤、通学、仕事、会議、レジャー、団らん、睡眠、娯楽などの種々の情報を管理できる。
【００３３】
図４は、この実施の形態の高機能携帯電話端末１の記憶装置１０３で管理される着信時制御情報の一例について説明するための図である。当該着信時制御情報は、図４に示すように、重要度と、送信方法と、制御内容とからなっている。重要度は、上述もしたように、この実施の形態では、送信方法と送信元（通信の相手先）と着信先のユーザーの着信時の状況に応じて予め決められる（選択される）ものである。
【００３４】
送信方法は、上述もしたように、（１）固定電話からの送信、（２）携帯電話端末からの送信、（３）通話アプリからの送信、（４）Ｅメール（電子メール）やＳＮＳを通じてのテキストデータ等の送信を意味する。しかし、ここでは、（１）〜（３）の音声通話か、（４）のＥメール又はＳＮＳによるテキストデータ等の送信かの２つに大別する情報として用いている。音声通話の送信（発信）かテキストデータ等の送信かに応じて、着信時の制御が大きく異なるためである。そして、制御内容が、重要度に応じた高機能携帯電話端末１における着信時の具体的な制御の内容を示している。
【００３５】
そして、図４に示した着信時制御情報は、重要度１〜重要度１４までの情報が設定されている。重要度１〜重要度３は、送信方法が音声通話の場合に、送信元（発信元）が断念するか、送信先（着信先）が着信に応答するまで呼び出し（着信通知）を行うことを指示するものである。だだし、重要度１は音、振動、表示により、重要度２は振動、表示により、また、重要度３は表示のみにより、それぞれ呼び出しを行うことを指示するものである。
【００３６】
また、重要度４〜重要度６は、送信方法が音声通話の場合に、所定回呼び出しを行った後、留守電モードへ遷移し、自動応答して送信元（相手先）からの音声メッセージの録音を行うことを指示するものである。だだし、重要度４は音、振動、表示により、重要度５は振動、表示により、また、重要度６は表示のみにより、それぞれ呼び出し（着信通知）を行うことを指示するものである。
【００３７】
また、重要度７〜重要度９は、送信方法が音声通話の場合に、所定回呼び出しを行った後、自動応答して応答不可メッセージを送信し、回線を解放することを指示するものである。だだし、重要度７は音、振動、表示により、重要度８は振動、表示により、また、重要度９は表示のみにより、それぞれ呼び出し（着信通知）を行うことを指示するものである。また、重要度１０は、送信方法が音声通話の場合に、呼び出しせず、自動応答して応答不可メッセージを送信し、回線を解放することを指示するものである。
【００３８】
また、重要度１１〜重要度１３は、送信方法がＥメール又はＳＮＳの場合に、着信通知を行うことを指示するものである。だだし、重要度１１は音、振動、表示により、重要度１２は振動、表示により、また、重要度１３は表示のみにより、着信通知を行うことを指示するものである。そして、重要度１４は、各送信方法に共通であり、着信通知は行わないことを指示するものである。このような、着信時における制御の内容が、重要度と送信方法（通信方法）とによって決まるように、記憶装置１０３に図４に示した態様で着信時制御情報が登録されている。
【００３９】
そして、どの重要度を用いるのかが、送信元、送信方法、着信先の着信時の状況に
応じて決められる。そして、重要度は、例えば、家族や親族の死亡、重要顧客からのクレーム、手形不渡り、取引先の倒産、我が子の誕生、津波警報、贔屓チーム優勝といった相手先との関係で生じる可能性のある事象を考慮し、高機能携帯電話端末１のユーザー自身によって決められる。
【００４０】
重要度設定メモリ１０４は、着信時において、どのような着信制御を行うのかを示す重要度設定情報を記憶保持する。図５は、重要度設定メモリ１０４に記憶保持される重要度設定情報の一例について説明するための図である。上述もしたように、この実施の形態の高機能携帯電話端末１は、（Ａ）相手先が用いた送信方法のみに応じて、あるいは、（Ｂ）相手先が用いた送信方法と送信元である相手先とに応じて、着信時の処理を制御できる。しかし、着信時における制御をより適切に行うため、この実施の形態の高機能携帯電話端末１では、（Ｃ）相手先が用いた送信方法と送信元である相手先と自機のユーザーの着信時の状況に応じて着信時の処理を制御する。
【００４１】
このため、図５に示すように、この実施の形態の重要度設定メモリ１０４に格納される重要度設定情報は、送信元（通信の相手先）ごと、送信方法ごとであって、かつ、着信先のユーザーの着信時の状況（ＴＰＯ）ごとに、着信時の制御内容を特定する重要度が設定されたものである。ユーザーの状況（ＴＰＯ）としては、時間（Ｔ）と場所（Ｐ）についてはスケジュール情報で管理されていれば足りるので、重要度設定情報では主に場合（Ｏ）が管理される。具体的には、会議中、打合せ中、来客中、電車に乗車中、睡眠中、静養中、授業中、テスト中などの種々の場合がある。
【００４２】
そして、図５においては、送信元が取引先である「□□太郎」さんと、家族である「○○花子」さんの場合の重要度設定情報を示している。送信元は、携帯電話番号、固定電話番号、電子メールアドレス等の送信元識別情報により特定可能である。そして、送信元が「□□太郎」さんの場合には以下のように重要度が設定されている。まず、送信方法が、「携帯電話からの送信」の場合には、送信先のユーザーの状況が睡眠中の場合には重要度が１、会議中、打合せ中、電車に乗車中、静養中の場合には重要度２が、来客中の場合には重要度３となっている。「固定電話からの送信」の場合も「携帯電話からの送信」の場合と同様である。
【００４３】
また、「通話アプリからの送信」の場合には、送信先のユーザーの状況が会議中と電車に乗車中の場合には重要度７、打合せ中の場合には重要度８、来客中の場合には重要度９、睡眠中と静養中の場合には重要度１０となっている。また、送信方法が「ＥメールまたはＳＮＳ」である場合には、送信先のユーザーの状況が会議中、打合せ中、電車に乗車中の場合が重要度１２で、来客中の場合が重要度１２、睡眠中と静養中の場合には重要度１４となっている。
【００４４】
また、送信元が「○○花子」さんの場合には以下のように重要度が設定されている。まず、送信方法が、「携帯電話からの送信」の場合には、送信先のユーザーの状況が会議中、打合せ中、来客中、電車に乗車中の場合には重要度が５、睡眠中の場合には重要度１、静養中の場合には重要度６となっている。また、送信方法が、「固定電話からの送信」の場合には、送信先のユーザーの状況が会議中、打合せ中、来客中、電車に乗車中、静養中の場合には重要度が６、睡眠中の場合には重要度１となっている。
【００４５】
また、「通話アプリからの送信」の場合には、送信先のユーザーの状況が会議中、打合せ中、来客中、電車に乗車中の場合には重要度が８、睡眠中の場合には重要度１、静養中の場合には重要度６となっている。また、送信方法が「ＥメールまたはＳＮＳ」である場合には、送信先のユーザーの状況が会議中、打合せ中、来客中の場合には重要度が１３、睡眠中、静養中の場合には重要度１４となっている。
【００４６】
なお、各重要度に対応する制御の内容は、図４を用いて説明した通りである。このように、この実施の形態の高機能携帯電話端末１の重要度設定メモリ１０４には、図５を用いて説明したように、送信元ごと、送信方法ごとであって、かつ送信先のユーザーの着信時の状況に応じた重要度が、高機能携帯電話端末１のユーザーによって設定される。この重要度設定メモリ１０４の重要度設定情報に基づいて、着信時の制御が行われる。なお、重要度設定メモリ１０４への重要度設定情報の設定は、詳しくは後述するが、高機能携帯電話端末１のユーザーがタッチパネル１１０などを通じて簡単かつ迅速に行えるようになっている。
【００４７】
そして、操作部１０５は、高機能携帯電話端末１に設けられたハードウェアキーからなり、ユーザーからの操作入力を受け付けて、受け付けた情報を制御部１０２に供給する。なお、操作部１０５に設けられたハードウェアキーは例えば電源のオン／オフキーや基本機能を実行するための幾つかのファンクションキー等である。時間制御部１０６は、現在年月日、現在曜日、現在時刻を管理する。
【００４８】
無線ＬＡＮ部１０７は、例えば、Ｗｉ−Ｆｉ規格の無線ＬＡＮに対応し、近隣のＷｉ−Ｆｉ規格のＡＰ（アクセスポイント）との間で信号の送受信を行う。なお、無線ＬＡＮ部１０７は、受信した信号から当該受信した信号の送信元のＡＰを特定するＳＳＩＤを検出したり、また、受信した信号の受信電界強度を検出したりする機能をも備える。また、無線ＬＡＮ部１０７には、無線ＬＡＮアンテナ１０７Ａが接続されている。ＧＰＳ部１０８およびＧＰＳアンテナ１０８Ａは、自機の現在位置を測位するものである。
【００４９】
表示部１０９は、種々の画像データや映像データの供給を受けて、これを映像信号に変換し、当該映像信号に応じた画像や映像を自己の表示画面に表示する。また、表示部１０９の表示画面に貼付されたタッチパネル１１０は、表示画面に表示される情報と共に、いわゆるソフトウェアキーを構成する。したがって、制御部１０２は、タッチパネル１１０からのユーザーの指示位置を示す情報と当該指示位置に対応する表示部１０９の表示画面上に表示された情報とに基づいて、ユーザーからの指示入力が認識できるようになっている。
【００５０】
音声出力部１１１は、これに供給される種々の音声データをアナログ音声信号に変換し、これをスピーカ１１２に供給する。これにより、音声出力部１１１に供給された音声データに応じた音声がスピーカ１１２から放音される。これら音声出力部１１１およびスピーカ１１２は、例えば、着信音を放音したり、ＴＴＳ（Text To Speech）機能を実現したりする場合などに用いられる。また、バイブレータ１１３は、制御部１０２により制御され、所定のパターンの振動を生じさせるものであり、着信時や警告時等において、着信や警告などの発生を振動によって通知する。
【００５１】
重要度設定情報保守部１１４は、タッチパネル１１０を通じて入力されるユーザーからの指示入力に基づいて、重要度設定メモリ１０４への重要度設定情報（図５）の設定、変更、削除を行う。送信方法判別部１１５は、自機宛てに着信が発生した（自機宛ての着信メッセージを受信した）場合に、当該着信通知メッセージに含まれる情報に基づいて、送信元が用いた送信方法を判別する。具体的に、送信方法判別部１１５は、自機宛てに着信が発生した場合に、携帯電話からの送信（発信）か、固定電話からの送信（発信）か、通話アプリからの送信（発信）か、電子メールやＳＮＳを通じてのテキストデータ等の着信かを判別する。これらの判別は、着信メッセージのフォーマットや相手先の電話番号などに基づいて判別できる。
【００５２】
なお、電子メールやＳＮＳを通じてのテキストデータ等の着信や通話アプリからの送信の場合、無線ＬＡＮ機能を動作させていれば、無線ＬＡＮアンテナ１０７Ａ及び無線ＬＡＮ部１０７を通じて受信できる。このため、送信方法判別部１１５は、制御部１０２の制御の下、送受信アンテナ１０１Ａ及び無線通信部１０１を通じて受信した着信にも、また、無線ＬＡＮアンテナ１０７Ａ及び無線ＬＡＮ部１０７を通じて受信した着信にも対応できるものである。
【００５３】
着信制御部１１６は、送信元と、送信方法と、着信時の高機能携帯電話端末１のユーザーの着信時の状況（ＴＰＯ）とに応じて、重要度設定メモリ１０４の重要度設定情報を参照して対応する重要度を取得し、これに基づいて着信時の制御を行う。ここで、送信方法は、送信方法判別部１１５で判別された情報である。また、送信元は、受信した着信メッセージに含まれる電話番号や電子メールアドレスに基づいて、記憶装置１０３のアドレス帳データを参照することにより特定できる情報である。また、着信時の高機能携帯電話端末１のユーザーの状況は、記憶装置１０３のスケジュール情報を参照することにより得られる着信時（現時点）のユーザーのスケジュール情報に応じて特定できる。
【００５４】
なお、高機能携帯電話端末１は、無線通信部１０１を通じて通話を行うための通話処理部、送話器、受話器や自機の姿勢や向きなどを検出するためのセンサ部などをも備えるが、これらについては説明を簡単にするため図２においては省略している。
【００５５】
このような構成を有するこの実施の形態の高機能携帯電話端末１においては、重要度設定情報保守部１１４、送信方法判別部１１５、着信制御部１１６が機能することにより、着信時において自機に発生した着信の重要度に応じた適切な着信時の制御が行える。この際に用いられる重要度設定情報が、ユーザーの操作に応じて、重要度設定メモリ１０４に設定できるようになっている。
【００５６】
［重要度設定情報の設定等の処理］
図６は、高機能携帯電話端末１で行われる重要度設定情報の設定等の処理について説明するためのフローチャートである。また、図７は、図６に示した重要度設定情報の設定等の処理の実行時に用いられる入力画面の例を説明するための図である。
【００５７】
図６に示す処理は、高機能携帯電話端末１において、表示部１０９に表示される所定のメニューから例えば「重要度設定情報の保守」などという重要度設定情報の設定等の処理を実行するための項目が選択された場合に制御部１０２において実行される。制御部１０２は、まず、重要度設定情報保守部１１４を制御し、記憶装置１０３に記憶保持されているアドレス帳データを読み出して連絡先一覧リストを形成し、これを図７（Ａ）に示すように表示部１０９に表示させる（ステップＳ１０１）。
【００５８】
そして、制御部１０２の制御の下、重要度設定情報保守部１１４は、タッチパネル１１０を通じて、表示した連絡先一覧リストから目的とする連絡先（通信の相手先）の選択入力を受け付ける（ステップＳ１０２）。具体的には、図７（Ａ）に示したように連絡先一覧リストが表示されるので、重要度を設定する連絡先の表示位置に対応するタッチパネル１１０上の位置に、指などを接触させる操作（タップ操作）を受け付ける。そして、重要度設定情報保守部１１４は、例えば、高機能携帯電話端末１にハードウェアボタンとして設けられている所定のファンクションボタンを押下操作するなどの所定の終了操作が行われたか否かを判別する（ステップＳ１０３）。
【００５９】
ステップＳ１０３の判別処理において、所定の終了操作が行われたと判別したときには、表示部１０９の連絡先一覧リストを消去し、ホーム画面などに遷移させるといった所定の終了処理を実行し（ステップＳ１０４）、この図６に示す処理を終了する。また、ステップＳ１０３の判別処理において、所定の終了操作は行われていないと判別したときには、連絡先一覧リストから連絡先が選択されたか否かを判別する（ステップＳ１０５）。
【００６０】
ステップＳ１０５の判別処理において、連絡先の選択は行われていないと判別したときには、受け付けた操作に応じて処理、例えば、連絡先一覧リストをスクロールさせる処理などを実行し（ステップＳ１０６）、ステップＳ１０２からの処理を繰り返す。また、ステップＳ１０５の判別処理において、連絡先の選択が行われたと判別したときには、重要度設定情報の設定入力受付処理を実行する（ステップＳ１０７）。
【００６１】
ステップＳ１０７の設定入力受付処理では、まず、ステップＳ１０２において選択された連絡先についての重要度設定画面を表示し、選択された連絡先（送信元）についての重要度の保守（設定、変更、削除）を行うことができるようにされる。すなわち、送信元ごと、送信方法ごとであって、着信先となる高機能携帯電話端末１のユーザーの着信時の状況ごとに、図４を用いて説明したように定められる重要度の保守を受け付ける。
【００６２】
具体的に、ステップＳ１０７では、図７（Ｂ）に示すような、連絡先（送信元）ごとの重要度設定画面を表示し、送信方法ごとであって、着信先ユーザーのＴＰＯごとに、重要度を設定、変更できる。なお、削除は、この実施の形態の高機能携帯電話端末１では、送信元単位で可能にされる。まず、図７（Ｂ）において、「携帯電話からの送信」との表示は、現在選択されている送信方法を示している。この送信方法は、上矢印ボタンＢ１１、下矢印ボタンＢ１２に対して操作を行うことにより変更できる。すなわち、「携帯電話からの送信」、「固定電話からの送信」、「通話アプリからの送信」、「電子メールの送信やＳＮＳを介してのテキストデータ等の送信」の４つの送信方法を順次に変更できる。
【００６３】
また、ＴＰＯは、着信ユーザーの着信時（現時点）の状況を示すものであり、Ｔ（Time）、Ｐ（Place）、Ｏ（Occasion）の内の主に「（Ｏ（Occasion））」を示すものである。このＴＰＯは、上矢印ボタンＢ２１、下矢印ボタンＢ２２に対して操作を行うことにより変更できる。具体的には、図５を用いて説明したように、「会議」、「打合せ」、「来客」、…、「電車」、「睡眠」、「静養」、…などの予め定められた種々の場合の中から選択可能荷なっている。なお、より細かく、「午前中の会社での会議」、「午後の客先での打合せ」などと言うように、ＴＰＯのそれぞれについて選択する構成とすることも可能である。しかし、この場合、設定内容が細かくなりすぎる場合も有るので、この実施の形態では主に「（Ｏ（Occasion））」を示すものにしている。
【００６４】
また、重要度は、送信元と、送信方法と、送信先ユーザー（自己）の着信時における状況とに応じて決まる、当該着信の重要度を示すものである。そして、この重要度は、上述もしたように、送信元との関係で生じる可能性のある事象等を考慮して、高機能携帯電話端末１のユーザーによって選択され、設定される。この送信方法は、上矢印ボタンＢ３１、下矢印ボタンＢ３２に対して操作を行うことにより、この実施の形態では、値「１〜１４」の範囲で変更できる。この重要度が、図４を用いて説明したように、どのように着信時の処理を行うのか、その制御の内容を特定する情報になっている。
【００６５】
したがって、図４を用いて説明したように、重要度が値「１」である場合（重要度１である場合）には、図４を用いて説明したように、「発信元が断念するか、着信先が応答するまで、音、振動、表示によって呼び出しを行う。」という着信時の制御がされる。なお、この実施の形態の重要度設定画面において、画面の下半分の側に示したように、選択された重要度に応じた制御の内容を示す情報（説明文）が表示されるので、ユーザーは重要度の選択時において、当該制御の内容を確認しながら目的とする重要度を選択できる。
【００６６】
そして、図７（Ｂ）に示した重要度設定画面において、下端部に示した「ＯＫ」ボタンが選択されたときには、当該送信元についての送信方法ごと、着信先ユーザーの状況ごとに設定、変更された重要度設定情報を重要度設定メモリ１０４に記録する。そして、このステップＳ１０７の処理を終了し、ステップＳ１０１からの処理を繰り返す。また、図７（Ｂ）に示した重要度設定画面において、下端部に示した「終了」ボタンが選択されたときには、当該送信元についての重要度設定情報については何もせずに、ステップＳ１０７の処理を終え、ステップＳ１０１からの処理を繰り返す。
【００６７】
また、図７（Ｂ）に示した重要度設定画面において、下端部に示した「削除」ボタンが選択されたとする。この場合には、当該送信元についての重要度設定情報を削除してよいか否かの確認を求め、削除可との確認が取れた場合は当該送信元の重要度設定情報を重要度設定メモリ１０４から削除してステップＳ１０７の処理を終え、ステップＳ１０１からの処理を繰り返す。また、削除可との確認が取れなかった場合には、ステップＳ１０７の設定入力受付処理が継続して行われる。
【００６８】
この図６に示した処理を通じて、図５を用いて説明した内容の重要度設定情報が、重要度設定メモリ１０４に設定されたり、変更されたり、また、削除されたりされる。これにより、送信元ごと、送信方法ごと、着信先のユーザーの着信時の状況ごとに、重要度を設定した重要度設定情報が重要度設定メモリ１０４に整えられ、着信時の制御に用いることができる。
【００６９】
［着信時の制御処理］
図８は、高機能携帯電話端末１で行われる着信時の制御処理について説明するためのフローチャートである。図８に示す処理は、高機能携帯電話端末１において自機宛ての着信を検出した場合に制御部１０２において実行される。そして、制御部１０２は、受信した自機宛ての着信メッセージに含まれる送信元（発信元）の電話番号や電子メールアドレス等の送信元識別情報に基づいて、記憶装置１０３のアドレス帳データを参照し、送信元を判別する（ステップＳ２０１）。
【００７０】
次に、制御部１０２は、受信した自機宛ての着信メッセージを送信方法判別部１１５に提供すると共に、送信方法判別部１１５を制御し、送信先が用いた送信方法を判別する（ステップＳ２０２）。送信方法判別部１１５は、上述もしたように、着信メッセージのフォーマットや相手先の電話番号などに基づいて、送信元が用いた送信方法を判別する。これにより、送信元が用いた送信方法は、携帯電話からの送信（発信）か、固定電話からの送信（発信）か、通話アプリからの送信（発信）か、電子メールやＳＮＳを通じてのテキストデータ等の送信かが判別される。
【００７１】
次に、制御部１０２は、記憶装置１０３の自機のユーザーのスケジュール情報を参照し、着信時（現時点）のユーザーの状況（ＴＰＯ）を判別する（ステップＳ２０３）。そして、制御部１０２は、判別した送信元と、送信方法と、自機のユーザーの状況とに基づいて、重要度設定メモリ１０４の重要度設定情報を参照し、当該着信に対する重要度を特定する（ステップＳ２０４）。
【００７２】
そして、制御部１０２は、ステップＳ２０４で特定した重要度に応じて、着信時の制御を行うように着信制御部１１６を制御する（ステップＳ２０５）。この場合、着信制御部１１６は、制御部１０２から指示された重要度に応じた制御内容を、記憶装置１０３の着信時制御情報（図４）により特定し、当該重要度に応じた着信時の制御を行う。そして、ステップＳ２０５の制御処理が完了すると、制御部１０２は、図８に示す着信時の制御処理を終了し、次の自機宛ての着信の到来を待つことになる。
【００７３】
このように、この図８に示す処理により、重要度設定メモリ１０４に設定された重要度設定情報（図５）に基づき、送信元と、送信方法と、着信先のユーザーの着信時の状況（ＴＰＯ）とに応じた適切な着信時の制御を行える。
【００７４】
［実施の形態の効果］
上述した高機能携帯電話端末１では、送信元と、送信方法と、着信先のユーザーの着信時の状況（ＴＰＯ）とに応じた着信時の制御が可能となる。特に、従来、全く考慮されていなかった送信方法をも考慮した着信時の制御が可能となり、ユーザーの利便性を向上させることができる。すなわち、送信元や自己の状況だけでなく、送信元が用いた送信方法をも考慮した重要度に応じて着信時の制御ができるので、従来にないきめの細かい着信時の制御が可能となり、ユーザーの利便性を向上させることができる。
【００７５】
より具体的には、あまり重要でない友人からの遊びの電話が、当該友人の携帯電話から掛けられることが想定されるとする。この場合には、送信元と、送信方法と、自己の着信時の状況とに応じた重要度を低く設定しておくことにより、呼び出しを行わず、相手に失礼になることもないような対応を取ることができる。同様に、非常に重要な電子メールが取引先から早朝に送られてくることが想定されるとする。この場合には、送信元と、送信方法と、自己の着信時の状況とに応じた重要度を高く設定しておくことにより、呼び出しを確実に行って、当該電子メールをいち早く確認する対応を取ることができる。
【００７６】
［変形例等］
なお、上述した実施の形態においては、重要度設定メモリ１０４に設定される図５を用いて説明した重要度設定情報を用い、送信元と、送信方法と、着信時のユーザーの状況とに基づいて、着信に対する重要度を特定するように構成した。しかし、これに限るものではない。例えば、送信方法だけに基づいて、或いは、送信先と送信方法とに基づいて、着信に対する重要度を特定するように構成することもできる。図９は、送信方法のみにより重要度の特定が可能な重要度設定情報の一例について説明するための図であり、図１０は、送信元と送信方法とにより重要度の特定が可能な重要度設定情報の一例について説明するための図である。
【００７７】
送信方法だけに基づいて、着信に対する重要度を特定する場合には、図９に示すように、送信方法のみに基づいて重要度の特定を可能にする重要度設定情報を重要度設定メモリ１０４に設定する。図９に示した例の場合には、相手先が用いた送信方法が携帯電話の場合には重要度１とし、固定電話の場合には重要度４としている。また、相手先が用いた送信方法が通話アプリの場合には重要度７とし、電子メールやＳＮＳである場合には重要度１１としている。
【００７８】
このようにしたのは、送信方法が携帯電話端末の場合には、電話を掛けてきた個人まで特定できるため最重要と考え、重要度１とすることにより、送信元が断念するか、着信先が応答するまで、音、振動、表示により着信通知を行うようにしている。また、送信方法が固定電話の場合には、どこから電話を掛けてきているのかは特定できるものの、電話を掛けてきた個人までは特定できない。そこで、送信方法が固定電話の場合には重要度を携帯電話からの送信よりやや下げて重要度４とすることによって、所定回、音、振動、表示を用いて着信通知を行い、着信先のユーザーが応答しない場合には留守電モードに遷移するようにしている。
【００７９】
また、送信方法が通話アプリの場合には、固定電話網や携帯電話網を通じた音声通話の場合よりも安定性に欠ける場合があると考えられる。このため、送信方法が通話アプリの場合には、重要度を送信方法が固定電話の場合よりやや下げて重要度７とし、所定回、音、振動、表示を用いて呼び出し、着信先のユーザーが応答しない場合には自動応答して応答不可メッセージを送信した後、回線を解放するようにしている。また、送信方法がＥメールやＳＮＳの場合には、本来、緊急性のないものである場合が多い。このため、送信方法がＥメールやＳＮＳの場合には、重要度１１とし、例えば、テキストデータ等を受信し、回線を解放後、音、振動、表示により、所定回、着信通知を行うようにしている。
【００８０】
この図９に示した重要度設定情報を用いることにより、送信元が用いた送信方法のみに応じて、着信に対する重要度を特定し、高機能携帯電話端末１での着信時の制御を行える。なお、図９に示した重要度設定情報は一例であり、高機能携帯電話端末１のユーザーに応じて種々の設定が可能である。例えば、通話アプリを通じて友人と通話を行う場合が多いユーザーの場合には、送信方法が通話アプリの場合に重要度を高くするなどというように、高機能携帯電話端末１のユーザーに応じた種々の設定が可能である。
【００８１】
また、送信方法だけでなく、送信元（相手先）をも考慮して、着信に対する重要度を特定し、着信時の制御を行った方が好ましい場合もある。例えば、重要な相手先であるが、固定電話からしか電話を掛けてこない相手先がいたり、また、家族などの場合には、通話アプリからの送信が多かったりする場合もある。そこで、送信方法だけでなく、送信元（相手先）をも考慮して、着信に対する重要度を特定し、これに応じて着信時の制御を行うこともできる。
【００８２】
送信方法と、送信元（通信の相手先）とに基づいて、着信に対する重要度を特定する場合には、図１０に示すように、送信元と送信方法とに基づいて重要度の特定を可能にする重要度設定情報を重要度設定メモリ１０４に設定する。図１０に示した例の場合には、送信元ごとであって、送信方法ごとに、重要度を設定している。これにより、送信元が「□□太郎」さんの場合、送信方法が携帯電話と固定電話の場合には重要度１とし、送信方法が通話アプリの場合には重要度７としている。また、電子メールやＳＮＳの場合には重要度１１としている。
【００８３】
また、送信元が、「○○花子」さんの場合、送信方法が携帯電話と固定電話の場合には重要度４とし、通話アプリの場合には重要度１としている。また、電子メールやＳＮＳの場合には重要度１４としている。従って、送信元が「□□太郎」さんの場合には、送信方法が携帯電話や固定電話の場合であれば、より確実に呼び出しが行われ、送信元が、「○○花子」さんの場合には、送信方法が通話アプリの場合であれば、より確実に呼び出しが行われるようにできる。
【００８４】
このように、送信方法に加えて、送信元（通信の相手先）をも考慮して着信に対する重要度を特定し、これに応じて着信時の制御を可能にすることによって、高機能携帯電話端末１のユーザーにとってより適した着信時の制御が行える。なお、図１０に示した重要度設定情報もまた一例であり、高機能携帯電話端末１のユーザーに応じて種々の設定が可能である。
【００８５】
また、図示しないが、送信方法と着信時のユーザーの状況とに応じて着信に対する重要度を特定し、これに基づいて着信時の制御を行うこともできる。この場合、送信元が用いた送信方法と、着信先のユーザーの着信時の状況（ＴＰＯ）とに応じた重要度設定情報を重要度設定メモリ１０４に設定しておく。そして、着信時に、送信方法と着信先のユーザーの着信時の状況とを上述した実施の形態の高機能携帯電話端末１の場合と同様にして特定し、これを用いて重要度設定メモリ１０４の重要度設定情報を参照して、着信に対する重要度を特定する。そして、特定した重要度に応じた着信時の制御を行うことができる。
【００８６】
このように、この発明は、送信方法に基づいて、或いは、送信方法と送信元とに基づいて、あるいは、送信方法と着信先の着信時のユーザーの状況とに基づいて、着信に対する重要度を特定して、それに応じた着信時の制御を行うこともできる。
【００８７】
また、図４を用いて説明した重要度に応じた着信時制御情報も一例であり、重要度に応じた制御の内容は種々のものとすることが可能である。
【００８８】
また、上述した実施の形態では、高機能携帯電話端末１が自機のユーザーのスケジュール情報をも管理するものとして説明したが、これに限るものではない。近年においては、個人のスケジュール情報をインターネット上のサーバー装置で管理し、予め決められた複数の者で共用できるようにした、いわゆるクラウド型のスケジュール管理サービスも利用されている。そこで、高機能携帯電話端末１で自己の最新のスケジュール情報を管理していない場合には、所定のサーバー装置で管理されている自己の最新のスケジュール情報を参照するようにしてもよい。
【００８９】
また、重要度設定情報は、特定の相手先に対して設定し、重要度設定情報を特に設定しておく必要のない送信元（相手先）については、重要度設定情報を登録しなくてもよい。重要度設定情報が登録されていない相手先からの着信については、予め決められた制御内容の制御を行うようにすればよい。例えば、重要度設定情報が登録されていない相手先からの着信であって、携帯電話や固定電話や通話アプリからの送信である場合には、重要度４の場合と同様の制御を行うように決めておく。また、重要度設定情報が登録されていない相手先からの電子メールやＳＮＳを介しての送信である場合には、重要度１１と同様の内容の制御を行うように決めておく。このようにすれば、重要度設定情報の設定がなされていない相手先からの着信時にも、適切な制御を行うことができる。
【００９０】
また、電子メールの送信やＳＮＳを介してのテキストデータの送信である場合には、受信したテキストデータの例えばタイトルなどの情報から当該テキストデータの内容が判別できる。そこで、電子メールやＳＮＳを介して送信されてきたテキストデータの内容が、例えば、得意先の倒産に関する情報であった場合には、取引先の銀行の担当者や会社の上司、部下、同僚からの携帯電話や固定電話からの送信については、どの様な状況の場合にも重要度１に自動的に変更することも可能である。
【００９１】
この場合には、内容判別手段と、重要度特定手段と、重要度書き換え手段とを設けることにより、重要度の自動変更機能を実現できる。ここで、内容判別手段は、送信されてきた電子メールやＳＮＳを通じて送信されてきたテキストデータに基づいて、その内容を判別するものである。また、重要度特定手段は、内容判別手段により判別された内容に応じて、関係する相手先（送信元）と変更後の重要度とを特定するものである。また、重要度書き換え手段は、重要度設定メモリ１０４の当該関係する相手先の重要度設定情報の重要度を重要度特定手段で特定した重要度に自動的に書き換えるものである。
【００９２】
このようにすれば、受信した電子メールなどのテキストデータに応じて、重要度設定メモリ１０４の重要度設定情報を動的に変更可能にし、ユーザーの手を煩わせることなく、必要な相手先からの着信を、想定される重要度に応じた態様で処理することができる。すなわち、重要度を低く設定していても、重要度を引上げる事象が発生した場合に、重要度を自動的に引上げて、より適切に着信時の制御を行うことにより、必要な相手先からの送信については、より確実に応答できるようにする環境を自動的に整えられる。
【００９３】
［その他］
上述した実施の形態の説明からも分かるように、携帯通信端末の記憶手段の機能は、高機能携帯電話端末１の重要度設定メモリ１０４が実現し、判別手段の機能は、高機能携帯電話端末１の送信方法判別部１１５が実現している。また、携帯通信端末の着信制御手段の機能は、高機能携帯電話端末１の制御部１０２と着信制御部１１６とが協働して実現している。
【００９４】
また、携帯通信端末の送信元判別手段は、高機能携帯電話端末１の主に制御部１０２が実現している。また、携帯通信端末の状況判別手段の機能は、高機能携帯電話端末１の主に制御部１０２が実現している。また、携帯通信端末の受付手段の機能は、タッチパネル１１０と操作部１０５と制御部１０２とが協働して実現し、保守手段の機能は、主に重要度設定情報保守部１１４が実現している。
【００９５】
また、図８に示した処理を行なう方法が、この発明の携帯通信端末の着信通知制御方法に対応している。また、図８に示した処理を実行するプログラムを形成し、携帯電話端末、高機能携帯電話端末、通信機能を備えたタブレットＰＣなどに実行可能なように搭載することによって、この発明の携帯通信端末を実現できる。すなわち、図２に示した重要度設定情報保守部１１４、送信方法判別部１１５、着信制御部１１６の各機能は、制御部１０２で実行されるソフトウェアにより、制御部１０２の機能として実現することもできる。
【符号の説明】
【００９６】
１…高機能携帯電話端末、１０１…無線通信部、１０１Ａ…送受信アンテナ、１０２…制御部、１０３…記憶装置、１０４…重要度設定メモリ、１０５…操作部、１０６…時間制御部、１０７…無線ＬＡＮ部、１０７Ａ…無線ＬＡＮアンテナ、１０８…ＧＰＳ部、１０８Ａ…ＧＰＳアンテナ、１０９…表示部、１１０…タッチパネル、１１１…音声出力部、１１２…スピーカ、１１３…バイブレータ、１１４…重要度設定情報保守部、１１５…送信方法判別部、１１６…着信制御部、２…ネットワーク、３…基地局、４…ＡＰ（アクセスポイント）、５…固定電話、６…携帯電話端末、７…ＰＣ（パーソナルコンピュータ）、８…サーバー装置
【図１】
2014175683.tif 000003
【図２】
2014175683.tif 000004
【図３】
2014175683.tif 000005
【図４】
2014175683.tif 000006
【図５】
2014175683.tif 000007
【図６】
2014175683.tif 000008
【図７】
2014175683.tif 000009
【図８】
2014175683.tif 000010
【図９】
2014175683.tif 000011
【図１０】
2014175683.tif 000012